(57)【要約】【課題】明るく鮮明なマルチカラー表示を実現することのできる電気光学装置を提供する。【解決手段】本発明の電気光学装置１００は、複数の画素ＰＸを有し、前記複数の画素ＰＸの各々に入射する光のオン／オフを制御することによって画像を形成する電気光学パネル１と、複数の色光を電気光学パネル１に射出する光源装置５０と、を備え、電気光学パネル１の１画面の画像を構成する１フレーム期間を複数のフィールド期間に分割し、１フィールド期間毎に光源装置５０から複数の色光を時間順次に射出すると共に、複数の色光の各々の射出タイミングに合わせて１フィールド期間毎に電気光学パネル１に複数の色光に応じた複数の画像を時間順次に形成するフィールドシーケンシャル方式の電気光学装置であって、任意の１フレーム期間において、電気光学パネル１の各々の画素ＰＸについて画素がオンされる期間を２フィールド以上設けないことを特徴とする。【選択図】図１
2009047884.tif 000002
【特許請求の範囲】
【請求項１】
複数の画素を有し、前記複数の画素の各々に入射する光のオン／オフを制御することによって画像を形成する電気光学パネルと、複数の色光を前記電気光学パネルに射出する光源装置と、を備え、前記電気光学パネルの１画面の画像を構成する１フレーム期間を複数のフィールド期間に分割し、１フィールド期間毎に前記光源装置から前記複数の色光を時間順次に射出すると共に、前記複数の色光の各々の射出タイミングに合わせて１フィールド期間毎に前記電気光学パネルに前記複数の色光に応じた複数の画像を時間順次に形成するフィールドシーケンシャル方式の電気光学装置であって、
任意の１フレーム期間において、前記電気光学パネルの各々の画素について画素がオンされる期間を２フィールド以上設けないことを特徴とする電気光学装置。
【請求項２】
前記光源装置は、互いに色の異なる複数種類の色光源を備え、前記複数種類の色光源のうちの１種類又は２種類以上の色光源を組み合わせて１つの色光を形成することを特徴とする請求項１に記載の電気光学装置。
【請求項３】
前記光源装置は、前記複数種類の色光源のうち２種類以上の色光源を組み合わせて１つの色光を形成し、組み合わされた前記２種類以上の色光源の強度比を調節することにより前記色光の色を調節することを特徴とする請求項２に記載の電気光学装置。
【請求項４】
前記光源装置は、互いに色の異なる複数種類の色光源が２次元的に配列されることにより面状光源を構成していることを特徴とする請求項１に記載の電気光学装置。
【請求項５】
前記光源装置は、１チップ内に互いに色の異なる複数種類の色光源を搭載した光源部と、前記電気光学パネルに対向配置され、前記光源部から入射された色光を前記電気光学パネルに向けて射出する導光板と、を備えることを特徴とする請求項１に記載の電気光学装置。
【請求項６】
前記電気光学パネルは、ＯＣＢモードで動作する液晶パネル、又は強誘電性液晶を用いた液晶パネルであることを特徴とする請求項１に記載の電気光学装置。
【請求項７】
前記ＯＣＢモードで動作する液晶パネルをベンド−スプレイ転移電圧以下で駆動することを特徴とする請求項６に記載の電気光学装置。
【請求項８】
前記光源装置は、各前記フィールドにおいて画像形成に関わる画素の液晶の配向が安定してから前記色光を射出することを特徴とする請求項６又は７に記載の電気光学装置。
【請求項９】
複数の画素を有し、前記複数の画素の各々に入射する光のオン／オフを制御することによって画像を形成する電気光学パネルと、複数の色光を前記電気光学パネルに射出する光源装置と、を備え、前記電気光学パネルの１画面の画像を構成する１フレーム期間を複数のフィールド期間に分割し、１フィールド期間毎に前記光源装置から前記複数の色光を時間順次に射出すると共に、前記複数の色光の各々の射出タイミングに合わせて１フィールド期間毎に前記電気光学パネルに前記複数の色光に応じた複数の画像を時間順次に形成するフィールドシーケンシャル方式の電気光学装置であって、
前記光源装置は、互いに色の異なる複数種類の色光源を備え、前記複数種類の色光源のうちの１種類又は２種類以上の色光源を組み合わせて１つの色光を形成し、前記複数種類の色光源又はそれらの色光源の組み合わせによって形成される色光によって、表示に必要とされる数の色光を形成すると共に、
前記電気光学パネルは、任意の１フレーム期間において、互いに異なる色光によって表示される画像領域同士を同一画面上で領域的に重ならないように表示することを特徴とする電気光学装置。
【請求項１０】
請求項１〜９のいずれか１項に記載の電気光学装置を備えることを特徴とする電子機器。
【発明の詳細な説明】
【技術分野】
【０００１】
本発明は、電気光学装置及び電子機器に関するものである。
【背景技術】
【０００２】
電気光学パネルでカラー表示を行う方法として、赤、緑、青のマイクロカラーフィルタを平面上に配列して空間的に合成する方法と、赤、緑、青に対応する３枚の電気光学パネルの画像をプリズムで合成して投影する方法が広く利用されている。さらに第３の方法として、フィールド順次方式と言って、赤、緑、青の画像を高速に切り替えて時間的に合成する方法がある。フィールド順次方式は、１つの画素で色が表示できるため、高精細ディスプレイに適しており、またカラーフィルタで吸収される光がないため、光の利用効率が高い（特許文献１参照）。
【特許文献１】特開２００２−２２９５３１号公報
【発明の開示】
【発明が解決しようとする課題】
【０００３】
しかしながら、フィールド順次方式には、「色割れ（カラーブレイクアップ）」と呼ばれる問題がある。色割れ現象は、人間の目の眼球運動に起因している。すなわち、フィールド順次方式では、時間と共に赤、緑、青の画像が変化し、網膜の残像効果を利用してそれらの色を混合しているが、これは網膜上の同一箇所に同一画素が重なることが前提となっている。眼球が動いて眼球とディスプレイとの空間的な位置関係がずれると、網膜上の同一箇所に同一画素が重ならないことになる。ずれが大きくなると、画像の輪郭部分に赤、緑、青の個々の画像が認識されてしまう。色割れ現象を防ぐにはフィールド周波数を高くすることが有効であるが、パネルの応答速度には限界があり、またフィールド周波数を高くしても色割れを完全に解消することはできない。
【０００４】
特許文献１では色割れを軽減するための駆動方法が提案されている。この駆動方法では、Ｒフィールド、Ｇフィールド、Ｂフィールドに続いて、全てのＬＥＤを点灯するＷ（白）フィールドが設けられている。これによってＲ、Ｇ、Ｂフィールドの輝度信号の一部をＷフィールドに移せるため、色割れが軽減される。しかしながら、特許文献１の駆動方法は、３原色の混色によりフルカラー表示を行うことを目的とし、Ｒ、Ｇ、Ｂ、Ｗの各フィールドに信号強度を割り振っている。したがって、原理的には、複数のフィールドがオープンになって時間的な加法混色を行う構成であり、色割れが避けられないという点で従来の問題を完全に解消しうるものではない。
【０００５】
一方、フィールド順次方式のディスプレイは、高精細で且つ高光利用効率であるという特徴を活かして、自動車のヘッドアップディスプレイ（ＨＵＤ）や、ヘッドマウントディスプレイ（ＨＭＤ）、携帯機器用のマイクロプロジェクタ、ＡＶ機器のインパネ表示、大型の情報表示板（電光掲示板等）等の情報表示装置への応用が検討されている。例えばヘッドアップディスプレイは、自動車のフロントウィンドウシールド（部分反射手段）上に画像を投射するものであり、主に速度メータやガソリン残量、警告等の情報を表示する。ヘッドアップディスプレイは、自動車の狭いダッシュボードに設置されるため、小型高精細のパネルが望ましく、またＬＥＤの熱によってパネルが加熱されすぎないように、光の利用効率が高いことが望ましい。
【０００６】
上述のディスプレイでは、明るく鮮明な画像が必要であり、そのため、色割れを完全に排除した表示原理が必要とされている。しかしながら、現状のディスプレイでは、３原色を同一画素内で時分割で表示するため、原理的に色割れを防止することはできない。一方、上述のディスプレイでは、表示する情報が限られているため、フルカラー表示は必ずしも必要とされず、カラー画像については個々の情報を色分けできる程度のカラー表示（すなわちマルチカラー表示）が実現できれば良い。このため、フルカラー表示を行う従来の駆動方法をそのまま適用することは、構成上無駄が多く、表示特性としても十分なものが得られない。
【０００７】
本発明は上述の課題の少なくとも一部を解決するためになされたものであって、より簡略化された方法で明るく鮮明なマルチカラー表示を実現することのできる電気光学装置を提供することを目的とする。また、このような電気光学装置を備えることにより、明るく鮮明な画像表示を実現可能な電子機器を提供することを目的とする。
【課題を解決するための手段】
【０００８】
上記の課題を解決するため、本発明の電気光学装置は、複数の画素を有し、前記複数の画素の各々に入射する光のオン／オフを制御することによって画像を形成する電気光学パネルと、複数の色光を前記電気光学パネルに射出する光源装置と、を備え、前記電気光学パネルの１画面の画像を構成する１フレーム期間を複数のフィールド期間に分割し、１フィールド期間毎に前記光源装置から前記複数の色光を時間順次に射出すると共に、前記複数の色光の各々の射出タイミングに合わせて１フィールド期間毎に前記電気光学パネルに前記複数の色光に応じた複数の画像を時間順次に形成するフィールドシーケンシャル方式の電気光学装置であって、任意の１フレーム期間において、前記電気光学パネルの各々の画素について画素がオンされる期間を２フィールド以上設けないことを特徴とする。
【０００９】
この構成によれば、１フレーム期間内において画素がオンされるのは最大で１フィールド期間であるため、時間的な加法混色が起こらず、原理的に色割れの問題は発生しない。本発明では、マルチカラーを前提として、３原色のうちのいずれか１色のみを画素に割り当てる。そのため、通常のフィールドシーケンシャル方式のようにフルカラー表示を行うことはできないが、電光掲示板やＡＶ機器のインパネ表示等のようにフルカラー表示が必要とされない情報表示装置に適用する場合には、マルチカラーでも十分に機能を果たすことができる。
【００１０】
また、従来は低温になると液晶の応答が遅くなるため、前のフィールド期間の液晶がオンであるかオフであるかによって輝度が変化し色ずれが生じていた。しかし、本発明の電気光学装置では、オンになるフィールド期間の前のフィールド期間は基本的にオフであるため、低温で輝度が変化することはあっても色の変化が起こりにくい。そのため、色再現性が良く、鮮明な画像が表示できる。
【００１１】
また、従来は１フィールド期間内に、リセット期間（黒表示期間）を所定の割合で有するように駆動していた。１フィールド期間毎に黒画像を挿入するのは、透過光特性をインパルス型にして動画特性を良好にするためである。しかし、本発明では、オンになるフィールド期間の前のフィールド期間は基本的にオフ（黒表示）であるため、リセット期間を設けなくとも、インパルス型表示で良好な動画特性が得られる。
【００１２】
本発明においては、前記光源装置は、互いに色の異なる複数種類の色光源を備え、前記複数種類の色光源のうちの１種類又は２種類以上の色光源を組み合わせて１つの色光を形成することが望ましい。この構成によれば、色光源の組み合わせによって色光源の数よりも多くの色光を作製することができる。そのため、色割れ現象を抑止したまま表示色数を増やすことが可能である。
【００１３】
本発明においては、前記光源装置は、前記複数種類の色光源のうち２種類以上の色光源を組み合わせて１つの色光を形成し、組み合わされた前記２種類以上の色光源の強度比を調節することにより前記色光の色を調節することが望ましい。この構成によれば、色光源の組み合わせ及び強度比の調節によって、色光源の数よりも多くの色光を作製することができる。そのため、色割れ現象を抑止したまま表示色数を増やすことが可能である。
【００１４】
本発明においては、前記光源装置は、互いに色の異なる複数種類の色光源が２次元的に配列されることにより面状光源を構成していることが望ましい。この構成によれば、多色化を図りつつ明るい表示を実現することができる。前述のように、本発明の電気光学装置の場合、複数の色で表示を行うと、その色の数だけ１フレーム期間を分割しなければならない。そのため、１フレーム期間の分割数（すなわち表示色数）だけ１つの色画像の輝度は小さくなる。しかし、本発明の構成を採用した場合、色画像の表示期間（１フィールド期間）が短くなっても、光源装置の輝度が大きいため、全体としての画像の明るさは大きく損なわれることはない。
【００１５】
本発明においては、前記光源装置は、１チップ内に互いに色の異なる複数種類の色光源を搭載した光源部と、前記電気光学パネルに対向配置され、前記光源部から入射された色光を前記電気光学パネルに向けて射出する導光板と、を備えることが望ましい。この構成によれば、構成が簡単で薄型且つ安価な電気光学装置を提供することができる。
【００１６】
本発明においては、前記電気光学パネルは、ＯＣＢモードで動作する液晶パネル、又は強誘電性液晶を用いた液晶パネルであることが望ましい。この構成によれば、高速応答が要求されるフィールドシーケンシャル方式の電気光学装置において良好な応答特性を実現することができる。前述のように１フレーム期間を多数のフィールド期間に分割した場合、ＴＮ等の他の液晶モードでは応答が間に合わない可能性があるが、ＯＣＢモードや強誘電性液晶を用いた液晶パネルでは、高い応答特性が得られるため、特に本発明の電気光学装置に採用した場合に良好な表示特性を実現することができる。特にＯＣＢモードを用いた場合、本発明では半分以上のフィールド期間がオフ（黒表示）であるため、オンのフィールド期間に低い電圧、すなわちベンド−スプレイ転移電圧以下の電圧を印加してもベンド配向がスプレイ配向に戻りにくく、明るい表示を得ることができる。
【００１７】
本発明においては、前記電気光学パネルは、前記複数の画素と電気的に接続された複数の走査線を備え、前記光源装置は、前記電気光学パネルの全ての走査線を走査し全ての画素の液晶の配向が安定してから前記色光を射出することが望ましい。アクティブマトリクス型の電気光学装置では、１ライン目から最終ライン目まで走査線を走査することにより１画面分の画像が形成される。そのため、１ライン目は応答しきっているが最終ライン目は未だ応答しきっていないという状態で光源装置を発光させると、画面の上下で明るさのムラが発生することになる。そこで本発明では、最終ライン目まで走査線を走査し、全ての画素の液晶を配向させてから光源装置を発光させるようにしている。この構成によれば、画面全体で均一な明るさが得られ、明るく鮮明な画像表示が実現できる。
【００１８】
本発明の電気光学装置は、複数の画素を有し、前記複数の画素の各々に入射する光のオン／オフを制御することによって画像を形成する電気光学パネルと、複数の色光を前記電気光学パネルに射出する光源装置と、を備え、前記電気光学パネルの１画面の画像を構成する１フレーム期間を複数のフィールド期間に分割し、１フィールド期間毎に前記光源装置から前記複数の色光を時間順次に射出すると共に、前記複数の色光の各々の射出タイミングに合わせて１フィールド期間毎に前記電気光学パネルに前記複数の色光に応じた複数の画像を時間順次に形成するフィールドシーケンシャル方式の電気光学装置であって、前記光源装置は、互いに色の異なる複数種類の色光源を備え、前記複数種類の色光源のうちの１種類又は２種類以上の色光源を組み合わせて１つの色光を形成し、前記複数種類の色光源又はそれらの色光源の組み合わせによって形成される色光によって、表示に必要とされる数の色光を形成すると共に、前記電気光学パネルは、任意の１フレーム期間において、互いに異なる色光によって表示される画像領域同士を同一画面上で領域的に重ならないように表示することを特徴とする。
【００１９】
この構成によれば、１フレーム期間内において画素がオンされるのは最大で１フィールド期間であるため、時間的な加法混色が起こらず、原理的に色割れの問題は発生しない。また、色光源の組み合わせによって色光源の数よりも多くの色光を作製することができる。そのため、色割れ現象を抑止したまま表示色数を増やすことが可能である。本発明では、マルチカラーを前提として、３原色のうちのいずれか１色のみを画素に割り当てる。そのため、通常のフィールドシーケンシャル方式のようにフルカラー表示を行うことはできないが、電光掲示板やＡＶ機器のインパネ表示等のようにフルカラー表示が必要とされない情報表示装置に適用する場合には、マルチカラーでも十分に機能を果たすことができる。
【００２０】
本発明の電子機器は、前述した本発明の電気光学装置を備えることを特徴とする。この構成によれば、明るく鮮明な画像表示が実現可能な電子機器を提供することができる。
【発明を実施するための最良の形態】
【００２１】
以下、図面を参照して本発明の実施の形態について説明する。かかる実施の形態は本発明の一態様を示すものであり、この発明を限定するものではない。下記の実施形態において、各構成部材の諸形状や組み合わせ等は一例であって、本発明の主旨から逸脱しない範囲において設計要求等に基づき種々変更可能である。また、以下の図面においては、各構成をわかりやすくするために、実際の構造と各構造における縮尺や数等が異なっている。
【００２２】
［第１の実施の形態］
図１は、本発明の電気光学装置の第１実施形態であるフィールドシーケンシャル方式のマルチカラー電気光学装置１００の概略構成図である。電気光学装置１００は、電気光学パネル１と、電気光学パネル１を照明する光源装置５０と、電気光学パネル１及び光源装置５０を制御する制御装置６０と、を備えている。
【００２３】
電気光学パネル１は、例えばＯＣＢモードで動作する液晶パネル、又は強誘電性液晶を用いた液晶パネルである。電気光学パネル１は、素子基板と対向基板との間に電気光学物質である液晶層を挟持した構成を備えている。電気光学パネル１の前面側（画像の観察側）又は背面側（画像の観察側とは反対側）には光源装置５０が設けられている。電気光学パネル１は透過型又は反射型のいずれのパネルを採用しても良い。電気光学パネル１の背面側に光源装置５０が配置される場合には、電気光学パネル１は透過型の液晶パネルであり、光源装置５０はバックライトユニットである。一方、電気光学パネル１の前面側に光源装置５０が配置される場合には、電気光学パネル１は反射型の液晶パネルであり、光源装置５０はフロントライトユニットである。
【００２４】
電気光学パネル１は、マトリクス状に配置された複数の画素ＰＸを備えている。電気光学パネル１の素子基板上には、画素ＰＸの行方向に沿って配置された複数の走査線Ｙ（Ｙ１〜Ｙｍ）及び補助容量線Ｃ（Ｃ１〜Ｃｍ）と、画素ＰＸの列方向に沿って配置された複数の信号線Ｘ（Ｘ１〜Ｘｎ）とが設けられている。走査線Ｙと信号線Ｘとの交差部近傍には、画素ＰＸのオン／オフを制御するための画素スイッチング素子１２が設けられている。画素スイッチング素子１２には、画素ＰＸ毎に設けられた画素電極１３が接続されている。画素電極１３は、液晶層を挟んで対向基板上に設けられた対向電極２２と対向配置されている。そして、画素電極１３、液晶層及び対向電極２２によって液晶容量ＣＬＣが形成されている。液晶容量ＣＬＣには補助容量Ｃｓが並列に接続されており、画素電極１３を介して液晶層に書き込まれた所定レベルの画像信号が補助容量Ｃｓによって一定期間保持されるようになっている。なお、補助容量Ｃｓは、画素スイッチング素子１２のドレインと補助容量線Ｃとの間に設けられている。
【００２５】
光源装置５０は、互いに色の異なる複数種類の色光源５１，５２，５３を備えている。本実施形態の場合、色光源として、赤色（Ｒ）に発光する赤色光源５１と、緑色（Ｇ）に発光する緑色光源５２と、青色（Ｂ）に発光する青色光源５３とを備えている。赤色光源５１、緑色光源５２及び青色光源５３は、例えば、発光ダイオード（ＬＥＤ）によって構成されている。光源装置５０としては、複数種類の色光源５１，５２，５３を１チップ内に搭載した光源部（例えば日亜化学工業社製の表面実装型フルカラーチップタイプＬＥＤ、商品名：ＮＳＳＭ０３８ＡＴ）と、電気光学パネル１に対向配置され、前記光源部から入射された色光を電気光学パネル１に向けて射出する導光板と、を備えたものを用いることができる。発光輝度を高める場合には、色光源５１，５２，５３を交互に敷き詰めて２次元配列させた面状光源を用いることもできる。
【００２６】
制御装置６０は、複数の走査線Ｙ１〜Ｙｍを順次駆動する走査線駆動回路ＹＤと、複数のデータ線Ｘ１〜Ｘｎにそれぞれ画素電圧Ｖsを出力するデータ線駆動回路ＸＤと、電気光学パネル１の駆動用電圧を発生する駆動用電圧発生部６１と、光源装置５０の駆動を制御する光源駆動部６２と、走査線駆動回路ＹＤ、データ線駆動回路ＸＤ及び光源駆動部６２を制御するコントローラ部６３と、を備えている。制御装置６０は、電気光学パネル１の１画面の画像を構成する１フレーム期間を複数のフィールド期間に分割し、１フィールド期間毎に光源装置５０を駆動して複数の色光源５１，５２，５３から複数の色光を時間順次に射出する。また、色光源５１，５２，５３からの色光の射出タイミングに合わせて１フィールド期間毎に電気光学パネル１の透過率（各画素ＰＸのオン／オフ）を制御して電気光学パネル１に複数の色光に応じた複数の画像を時間順次に形成する。
【００２７】
駆動用電圧発生部６１は、データ線駆動回路ＸＤに用いられる所定数の階調基準電圧ＶＲＥＦを発生する階調基準電圧発生回路６１Ｔと、対向電極２２に印加されるコモン電圧Ｖｃｏｍを発生するコモン電圧発生回路６１Ｃと、を備えている。
【００２８】
コントローラ部６３は、外部信号源ＳＳから入力される同期信号ＳＹＮＣに基づいて走査線駆動回路ＹＤに対する制御信号ＣＴＹを発生する垂直タイミング制御回路６３Ｖと、外部信号源ＳＳから入力される同期信号ＳＹＮＣに基づいてデータ線駆動回路ＸＤに対する制御信号ＣＴＸを発生する水平タイミング制御回路６３Ｈと、複数の画素ＰＸに対して外部信号源ＳＳからデジタル形式で入力される映像信号ＤＩを処理する映像信号処理回路６３Ｄと、を備えている。
【００２９】
走査線駆動回路ＹＤは、制御信号ＣＴＹの制御により複数の走査線Ｙ１〜Ｙｍを順次選択し、各行の画素スイッチ素子１２を導通させる駆動信号としてオン電圧を選択走査線Ｙに供給する。データ線駆動回路ＸＤは、階調基準電圧発生回路６１Ｔから供給される所定数の階調基準電圧ＶＲＥＦを参照して映像信号ＤＯをそれぞれ画素電圧Ｖsに変換し、複数の信号線Ｘ１〜Ｘｎに並列的に出力する。画素電圧Ｖsは、対向電極２２のコモン電圧Ｖｃｏｍを基準として画素電極１３に印加される電圧であり、例えばフレーム反転駆動およびライン反転駆動を行うようコモン電圧Ｖｃｏｍに対して極性反転される。
【００３０】
光源駆動部６２は、垂直タイミング制御回路６３Ｖから出力される制御信号ＣＴＹに基づいて１フィールド毎に複数の色光源５１，５２，５３を順次発光させる。また、光源駆動部６２は、各色光源に供給する電流量を制御することにより、色光源から射出される色光の光量（発光輝度）を制御する。
【００３１】
上記構成の電気光学装置１００では、光源装置５０は、光源駆動部６２の制御に基づき１フレーム期間を３フィールドに分割し、各フィールド期間（１／３フレームの時間）をそれぞれの色光源の発光期間とする。つまり、光源装置５０は、発光期間毎に赤色光源（Ｒ）５１、緑色光源（Ｇ）５２、青色光源（Ｂ）５３を順次発光させ、これらの色光源からの光で電気光学パネル１を照明する。電気光学パネル１の透過率は、制御装置６０の制御に基づき、光源装置５０の各色光源の発光に同期して制御され、対応する色の画像を順次表示する。そして、１フィールド毎に異なる色の画像（色画像）を高速表示し、これら複数の色画像を混色してカラー表示を行う（フィールドシーケンシャル方式）。
【００３２】
図２は、電気光学装置１００で表示される画像の一例を示す図である。本実施形態の電気光学装置１００は、駅の電光掲示板やＡＶ機器のインパネ表示等のマルチカラータイプの情報表示装置を想定している。このような情報表示装置では、複数の文字情報や画像情報が色分けして表示される。図２の例では、「普通」「１３：２５」「小田原」「１５両」「電車がまいります」の５つの文字情報が色分けされて表示されている。
【００３３】
「普通」「１３：２５」「小田原」「１５両」「電車がまいります」は、それぞれ１画面内の異なる画像領域に表示されている。例えば、「普通」は画面上段左上の第１画像領域Ａ１、「１３：２５」は画面上段左上の第２画像領域Ａ２、「小田原」は画面上段右上の第３画像領域Ａ３、「１５両」は画面上段右上の第４画像領域Ａ４、「電車がまいります」は画面下段中央の第５画像領域Ａ５に表示されている。情報表示装置の中には、複数の情報のうち１種又は２種以上の情報が画面上をスクロールして表示される場合があるが、その場合も互いの情報は同一画面上で領域的に重ならないように（すなわち、同一画面上の異なる領域に）配置される。例えば、電車の遅延情報を表示する場合には、「電車がまいります」の部分に、電車が遅延している旨及び遅延の理由がスクロールして表示される。
【００３４】
画像領域Ａ１〜Ａ５は、光源装置に含まれる複数種類の色光源のうちのいずれか１種類の色光源の色で表示されている。例えば、図２では、第１画像領域Ａ１の「普通」は赤色光源に対応した赤色で表示され、第３画像領域Ａ３の「小田原」は青色光源に対応した青色で表示され、第５画像領域Ａ５の「電車がまいります」は緑色光源に対応した緑色で表示されている。画像領域Ａ１〜Ａ５には、所定期間毎に異なる情報を表示することが可能であるが、その場合も任意の１フレーム期間で見た場合には、画面上に設けられた複数の画像領域には。それぞれ光源装置に含まれる複数種類の色光源のうちのいずれか１種類の色光源の色が割り当てられる。
【００３５】
なお、図２では、「普通」「１３：２５」「小田原」「１５両」「電車がまいります」はいずれも文字情報であるが、一部にキャラクター等の画像情報を表示することも可能である。例えば、「電車がまいります」の前又は後ろには、電車の形状を模ったキャラクターを表示することができる。この場合、電車のキャラクターは、“電車”を構成する“車体”“車輪”“窓”等の構成要素が色分けして表示される。そして、それぞれの構成要素には、光源装置に含まれる複数種類の色光源のうちのいずれか１種類の色光源の色が割り当てられる。
【００３６】
図３は、電気光学装置１００の駆動方法の説明図である。図３では、図２の「普通」が表示される画像領域Ａ１と、「電車がまいります」が表示される画像領域Ａ５と、「小田原」が表示される画像領域Ａ３の画素のタイミングチャートが示されている。なお、「液晶応答」の複数の実線（太線及び細線）は画素の階調を示している。
【００３７】
図１の制御装置６０は、１フレーム期間（６０Ｈｚ〜７０Ｈｚ）を光源装置５０から射出される色光の数に応じた複数のフィールド期間に分割し、それぞれのフィールド期間内で、光源装置５０から射出される各色光の色信号に基づいて電気光学パネル１を駆動する。例えば、１フレーム期間が１／６０秒であれば、赤色の書き込みを１／１８０秒（１／３フレーム期間）で行い、続いて緑色の書き込みを次の１／１８０秒（１／３フレーム期間）で行い、続いて青色の書き込みを次の１／１８０秒（１／３フレーム期間）で行う。そして、赤色の書き込みに同期して赤色光源５１だけを発光させ、緑色の書き込みに同期して緑色光源５２だけを発光させ、青色の書き込みに同期して青色光源５３だけを発光させる。これにより、赤色光に対応した赤色画像、緑色光に対応した緑色画像、青色光に対応した青色画像が１フィールド期間毎に順次表示され、それらが人間の眼の合成作用によって１画面分のカラー画像に合成される。
【００３８】
制御装置６０は、１つの色光源が発光している１フィールド期間（１／３フレーム期間）において、色光を透過可能とする書き込み期間Ｔｗ、書き込まれた画像を保持する保持期間Ｔｈを所定の割合で有するように電気光学パネル１の駆動を制御する。
【００３９】
また制御装置６０は、１フィールド期間において、液晶の配向が安定する保持期間Ｔｈのみに色光を発光させる。すなわち、電気光学パネル１において走査線Ｙ１から走査線Ｙｍまで走査し、画像形成に関わる全ての画素の配向が安定してから、色光を発光させる。そうすることで、画面の上下で明るさのムラが発生することを防止することができる。
【００４０】
本実施形態においては、１フレーム期間内に表示される１画面分の画像には複数の画像領域が含まれ、それぞれの画像領域は光源装置５０から射出される複数の色光によって色分けされている。各々の画像領域には１種類の色光のみが割り当てられ、その色光のグレースケール（黒を含む）による色表示が行われる。図２の例では、１画面分の画像の中には、「普通」「１３：２５」「小田原」「１５両」「電車がまいります」の５つの画像領域が含まれ、それぞれの画像領域に表示される文字情報には、光源装置５０から射出される赤色光、緑色光、青色光のうちのいずれか１つの色光が割り当てられている。
【００４１】
したがって、図３に示すように、第１画像領域Ａ１では、１フレーム期間において画素がオンされる期間は赤色（Ｒ）フィールドのみであり、それ以外の緑色（Ｇ）フィールドと青色（Ｂ）フィールドでは画素はオンされない。第５画像領域Ａ５では、１フレーム期間において画素がオンされる期間は緑色（Ｇ）フィールドのみであり、それ以外の赤色（Ｒ）フィールドと青色（Ｂ）フィールドでは画素はオンされない。第３画像領域Ａ３では、１フレーム期間において画素がオンされる期間は青色（Ｂ）フィールドのみであり、それ以外の赤色（Ｒ）フィールドと緑色（Ｇ）フィールドでは画素はオンされない。
【００４２】
このような事情は、画面が切り替わって他の画像が表示されても同じである。１画面内に含まれる画像領域にはそれぞれ１色の色光のみが割り当てられ、それぞれの画像領域は１色又はそのグレースケールのみで表示が行われるからである。したがって、任意の１フレーム期間において、電気光学パネル１の各々の画素について画素がオンされる期間は１フィールドのみであり（厳密には黒表示も可能であるため、画素がオンされる期間は１フィールド以下である）、２フィールド以上画素がオンされることはない。この構成によれば、任意の１画素について、１フレーム期間内で２以上のフィールド期間がオンにならないので、加法混色は行われず、色割れの問題は原理的に発生しない。この場合、表示できる色は赤、緑、青、黒の４色、及びそのグレースケール（例えば暗い赤など）でありフルカラー表示はできないが、電光掲示板のようなフルカラー表示が必要とされない情報表示装置では、４色表示のみでも十分に機能を果たすことができる。
【００４３】
以下、本実施形態の駆動方法による効果を従来の駆動方法との比較において説明する。図４は、従来の駆動方法の説明図である。図５は、従来の駆動方法における温度特性の説明図である。
【００４４】
図４に示すように、従来の駆動方法では、フルカラー表示を前提として、３原色を同一画素内で時分割で表示する。そのため、１画素内では通常１フレーム期間内に２以上のフィールド期間がオンされ、色割れの発生を防止することは原理的に不可能である。一方、本実施形態の駆動方法では、マルチカラーを前提として、３原色のうちのいずれか１色のみを画素に割り当てる。１フレーム期間内において画素がオンされるのは最大で１フィールド期間であり、そのため、時間的な加法混色が起こらず、原理的に色割れの問題は発生しない。
【００４５】
また、図５に示すように、従来は低温になると液晶の応答が遅くなるため、前のフィールド期間の液晶がオンであるかオフであるかによって輝度が変化し色ずれが生じていた。しかし、本実施形態では、オンになるフィールド期間の前のフィールド期間は基本的にオフであるため、低温で輝度が変化することはあっても色の変化が起こりにくい。そのため、色再現性が良く、鮮明な画像が表示できる。
【００４６】
また、従来は１フィールド期間内に、リセット期間Ｔｒ（黒表示期間）を所定の割合で有するように駆動していた。１フィールド期間毎に黒画像を挿入するのは、透過光特性をインパルス型にして動画特性を良好にするためである。また、特にＯＣＢモードの場合、ベンド配向がスプレイ配向に戻る現象を防ぐためである。しかし、本実施形態では、オンになるフィールド期間の前のフィールド期間は基本的にオフ（黒表示）であるため、特にリセット期間を設けなくとも、インパルス型表示で良好な動画特性が得られる上、ＯＣＢモードにおいてベンド配向がスプレイ配向に戻ることもない。
【００４７】
具体的に説明すると、例えば最小透過率が得られる電圧を５Ｖ、最大透過率が得られる電圧を１．２Ｖ、ベンド−スプレイ転移電圧を２．３Ｖであるとする。このようなＯＣＢモードを用いて赤色の表示を行う場合、緑色（Ｇ）フィールドと青色（Ｂ）フィールドには５Ｖが印加される。赤色（Ｒ）フィールドに印加される電圧をＶＲとしたとき、（ＶＲ＋５＋５）／３が２.３Ｖよりも大きければ、ベンド−スプレイ転移は起こらない。したがって、赤色（Ｒ）フィールドに透過率が最大となる電圧１．２Ｖを印加してもベンドからスプレイへの転移が起こらず、明るい表示を実現することができる。
【００４８】
なお、本実施形態では、電気光学パネル１として液晶パネルを説明したが、電気光学パネル１としては、液晶パネル以外の光シャッター（ライトバルブ）、例えばＭＥＭＳのような機械的シャッターを用いても良い。また、電気光学装置１００として電光掲示板やＡＶ機器のインパネ表示等を説明したが、電気光学装置１００は、これら以外にも、自動車のヘッドアップディスプレイ（ＨＵＤ）や、ヘッドマウントディスプレイ（ＨＭＤ）、携帯機器用のマイクロプロジェクタ等の種々の情報表示装置に適用することが可能である。
【００４９】
［第２の実施の形態］
図６は、電気光学装置の駆動方法の第２実施形態の説明図である。本実施形態において電気光学装置の構成は第１実施形態の電気光学装置１００と同じである。そのため、第１実施形態と共通する構成要素については同じ符号を付し、詳細な説明は省略する。
【００５０】
本実施形態の駆動方法では、電気光学装置で表示する情報を赤（Ｒ）、緑（Ｇ）、青（Ｂ）、黄（Ｙ）、シアン（Ｃ）、マゼンタ（Ｍ）、白（Ｗ）の７色で色分けする。１画面内で赤、緑、青、黄、シアン、マゼンタ、白で色分けされた情報は、画面上の異なる画像領域に領域的に重ならないように配置される。制御装置６０は、光源装置５０に備えられた複数種類の色光源（赤色光源５１、緑色光源５２、青色光源５３）のうちの１種類又は２種類以上の色光源を組み合わせて１つの色光を形成し、前記複数種類の色光源又はそれらの色光源の組み合わせによって形成される色光によって、表示に必要とされる数の色光を形成する。図６では、赤色光源５１と緑色光源５２とを組み合わせて黄色を形成し、緑色光源５２と青色光源５３とを組み合わせてシアンを形成し、赤色光源５１と青色光源５３とを組み合わせてマゼンタを形成し、赤色光源５１と緑色光源５２と青色光源５３とを組み合わせて白を形成している。黄色は赤色光源５１と緑色光源５２の点灯強度を約１：１とすることにより形成され、シアンは緑色光源５２と青色光源５３の点灯強度を約１：１とすることにより形成され、マゼンタは赤色光源５１と青色光源５３の点灯強度を約１：１とすることにより形成され、白は赤色光源５１と緑色光源５２と青色光源５３の点灯強度を約１：１：１とすることにより形成される。
【００５１】
制御装置６０は、１フレーム期間（６０Ｈｚ〜７０Ｈｚ）を光源装置５０から射出される色光の数に応じた複数のフィールド期間に分割し、それぞれのフィールド期間内で、光源装置５０から射出される各色光の色信号に基づいて電気光学パネル１を駆動する。例えば、１フレーム期間が１／６０秒であれば、赤色の書き込みを１／４２０秒（１／７フレーム期間）で行い、続いて緑色の書き込みを次の１／４２０秒（１／７フレーム期間）で行い、続いて青色の書き込みを次の１／４２０秒（１／７フレーム期間）で行い、続いて黄色の書き込みを次の１／４２０秒（１／７フレーム期間）で行い、続いてシアンの書き込みを次の１／４２０秒（１／７フレーム期間）で行い、続いてマゼンタの書き込みを次の１／４２０秒（１／７フレーム期間）で行い、続いて白の書き込みを次の１／４２０秒（１／７フレーム期間）で行う。そして、赤色の書き込みに同期して赤色光源５１だけを発光させ、緑色の書き込みに同期して緑色光源５２だけを発光させ、青色の書き込みに同期して青色光源５３だけを発光させ、黄色の書き込みに同期して赤色光源５１と緑色光源５２だけを発光させ、シアンの書き込みに同期して緑色光源５２と青色光源５３だけを発光させ、マゼンタの書き込みに同期して赤色光源５１と青色光源５３だけを発光させ、白の書き込みに同期して赤色光源５１と緑色光源５２と青色光源５３の全てを発光させる。これにより、赤色光に対応した赤色画像、緑色光に対応した緑色画像、青色光に対応した青色画像、黄色光に対応した黄色画像、シアン光に対応したシアン画像、マゼンタ光に対応したマゼンタ画像、白色光に対応した白色画像が１フィールド期間毎に順次表示され、それらが人間の眼の合成作用によって１画面分のカラー画像に合成される。
【００５２】
制御装置６０は、１つの色光が射出される１フィールド期間（１／７フレーム期間）において、色光を透過可能とする書き込み期間Ｔｗ、書き込まれた画像を保持する保持期間Ｔｈを所定の割合で有するように電気光学パネル１の駆動を制御する。
【００５３】
また制御装置６０は、１フィールド期間において、液晶の配向が安定する保持期間Ｔｈのみに色光を発光させる。すなわち、電気光学パネル１において走査線Ｙ１から走査線Ｙｍまで走査し、画像形成に関わる全ての画素の配向が安定してから、色光を発光させる。そうすることで、画面の上下で明るさのムラが発生することを防止することができる。
【００５４】
本実施形態においては、１フレーム期間内に表示される１画面分の画像には複数の画像領域が含まれ、それぞれの画像領域は光源装置５０から射出される複数の色光によって色分けされている。各々の画像領域には１種類の色光のみが割り当てられ、その色光のグレースケール（黒を含む）による色表示が行われる。したがって、第１画像領域Ａ１では、１フレーム期間において画素がオンされる期間は赤色（Ｒ）フィールドのみであり、それ以外のフィールドでは画素はオンされない。同様に、第２画像領域Ａ２では、１フレーム期間において画素がオンされる期間は緑色（Ｇ）フィールドのみであり、それ以外のフィールドでは画素はオンされない。第３画像領域Ａ３では、１フレーム期間において画素がオンされる期間は青色（Ｂ）フィールドのみであり、それ以外のフィールドでは画素はオンされない。第４画像領域Ａ４では、１フレーム期間において画素がオンされる期間は黄色（Ｙ）フィールドのみであり、それ以外のフィールドでは画素はオンされない。第５画像領域Ａ５では、１フレーム期間において画素がオンされる期間はシアン（Ｃ）フィールドのみであり、それ以外のフィールドでは画素はオンされない。第６画像領域Ａ６では、１フレーム期間において画素がオンされる期間はマゼンタ（Ｍ）フィールドのみであり、それ以外のフィールドでは画素はオンされない。第７画像領域Ａ７では、１フレーム期間において画素がオンされる期間は白（Ｗ）フィールドのみであり、それ以外のフィールドでは画素はオンされない。
【００５５】
このような事情は、画面が切り替わって他の画像が表示されても同じである。１画面内に含まれる画像領域にはそれぞれ１色の色光のみが割り当てられ、それぞれの画像領域は１色又はそのグレースケールのみで表示が行われるからである。したがって、任意の１フレーム期間において、電気光学パネル１の各々の画素について画素がオンされる期間は１フィールドのみであり（厳密には黒表示も可能であるため、画素がオンされる期間は１フィールド以下である）、２フィールド以上画素がオンされることはない。この構成によれば、任意の１画素について、１フレーム期間内で２以上のフィールド期間がオンにならないので、加法混色は行われず、色割れの問題は原理的に発生しない。この場合、表示できる色は赤、緑、青、黄、シアン、マゼンタ、白、黒の８色、及びそのグレースケールであり、フルカラー表示はできないが、電光掲示板のようなフルカラー表示が必要ない情報表示装置では、８色表示のみでも十分に機能を果たすことができる。
【００５６】
本実施形態の電気光学装置においても、光源装置５０から射出される複数の色光のうちのいずれか１色を画素に割り当てる。そのため、時間的な加法混色が起こらず、原理的に色割れの問題は発生しない。また、オンになるフィールド期間の前のフィールド期間は基本的にオフであるため、低温で輝度が変化することはあっても色の変化が起こりにくい。そのため、色再現性が良く、鮮明な画像が表示できる。また本実施形態では、複数種類の色光源のうちの１種類又は２種類以上の色光源を組み合わせて１つの色光を形成するため、色光源の組み合わせによって、色光源の数よりも多くの色光を作製することができる。そのため、色割れ現象を抑止したまま表示色数を増やすことが可能である。
【００５７】
［第３の実施の形態］
図７は、電気光学装置の駆動方法の第３実施形態の説明図である。本実施形態において電気光学装置の構成は第１実施形態の電気光学装置１００と同じである。そのため、第１実施形態と共通する構成要素については同じ符号を付し、詳細な説明は省略する。
【００５８】
本実施形態の駆動方法では、電気光学装置で表示する情報を赤（Ｒ）、緑（Ｇ）、青（Ｂ）、オレンジ（Ｏ）、スカイブルー（Ｓ）、ピンク（Ｐ）の６色で色分けする。１画面内で赤、緑、青、オレンジ、スカイブルー、ピンクで色分けされた情報は、画面上の異なる画像領域に領域的に重ならないように配置される。制御装置６０は、光源装置５０に備えられた複数種類の色光源（赤色光源５１、緑色光源５２、青色光源５３）のうちの１種類又は２種類以上の色光源を組み合わせて１つの色光を形成し、前記複数種類の色光源又はそれらの色光源の組み合わせによって形成される色光によって、表示に必要とされる数の色光を形成する。図７では、赤色光源５１と緑色光源５２とを組み合わせてオレンジを形成し、赤色光源５１と緑色光源５２と青色光源５３とを組み合わせてスカイブルーを形成し、赤色光源５１と緑色光源５２と青色光源５３とを組み合わせてピンクを形成している。オレンジは赤色光源５１と緑色光源５２の点灯強度を約２：１とすることにより形成され、スカイブルーは赤色光源５１と緑色光源５２と青色光源５３の点灯強度を約１：２：２とすることにより形成され、ピンクは赤色光源５１と緑色光源５２と青色光源５３の点灯強度を約２：１：２とすることにより形成される。
【００５９】
制御装置６０は、１フレーム期間（６０Ｈｚ〜７０Ｈｚ）を光源装置５０から射出される色光の数に応じた複数のフィールド期間に分割し、それぞれのフィールド期間内で、光源装置５０から射出される各色光の色信号に基づいて電気光学パネル１を駆動する。例えば、１フレーム期間が１／６０秒であれば、赤色の書き込みを１／３６０秒（１／６フレーム期間）で行い、続いて緑色の書き込みを次の１／３６０秒（１／６フレーム期間）で行い、続いて青色の書き込みを次の１／３６０秒（１／６フレーム期間）で行い、続いてオレンジの書き込みを次の１／３６０秒（１／６フレーム期間）で行い、続いてスカイブルーの書き込みを次の１／３６０秒（１／６フレーム期間）で行い、続いてピンクの書き込みを次の１／３６０秒（１／６フレーム期間）で行う。そして、赤色の書き込みに同期して赤色光源５１だけを発光させ、緑色の書き込みに同期して緑色光源５２だけを発光させ、青色の書き込みに同期して青色光源５３だけを発光させ、オレンジの書き込みに同期して赤色光源５１と緑色光源５２だけを所定の点灯強度で発光させ、スカイブルーの書き込みに同期して赤色光源５１と緑色光源５２と青色光源５３を所定の点灯強度で発光させ、ピンクの書き込みに同期して赤色光源５１と緑色光源５２と青色光源５３を所定の点灯強度で発光させる。これにより、赤色光に対応した赤色画像、緑色光に対応した緑色画像、青色光に対応した青色画像、オレンジ光に対応したオレンジ画像、スカイブルー光に対応したスカイブルー画像、ピンク光に対応したピンク画像が１フィールド期間毎に順次表示され、それらが人間の眼の合成作用によって１画面分のカラー画像に合成される。
【００６０】
制御装置６０は、１つの色光が射出される１フィールド期間（１／６フレーム期間）において、色光を透過可能とする書き込み期間Ｔｗ、書き込まれた画像を保持する保持期間Ｔｈを所定の割合で有するように電気光学パネル１の駆動を制御する。
【００６１】
また制御装置６０は、１フィールド期間において、液晶の配向が安定する保持期間Ｔｈのみに色光を発光させる。すなわち、電気光学パネル１において走査線Ｙ１から走査線Ｙｍまで走査し、画像形成に関わる全ての画素の配向が安定してから、色光を発光させる。そうすることで、画面の上下で明るさのムラが発生することを防止することができる。
【００６２】
本実施形態においては、１フレーム期間内に表示される１画面分の画像には複数の画像領域が含まれ、それぞれの画像領域は光源装置５０から射出される複数の色光によって色分けされている。各々の画像領域には１種類の色光のみが割り当てられ、その色光のグレースケール（黒を含む）による色表示が行われる。したがって、第１画像領域Ａ１では、１フレーム期間において画素がオンされる期間は赤色（Ｒ）フィールドのみであり、それ以外のフィールドでは画素はオンされない。同様に、第２画像領域Ａ２では、１フレーム期間において画素がオンされる期間は緑色（Ｇ）フィールドのみであり、それ以外のフィールドでは画素はオンされない。第３画像領域Ａ３では、１フレーム期間において画素がオンされる期間は青色（Ｂ）フィールドのみであり、それ以外のフィールドでは画素はオンされない。第４画像領域Ａ４では、１フレーム期間において画素がオンされる期間はオレンジ（Ｏ）フィールドのみであり、それ以外のフィールドでは画素はオンされない。第５画像領域Ａ５では、１フレーム期間において画素がオンされる期間はスカイブルー（Ｓ）フィールドのみであり、それ以外のフィールドでは画素はオンされない。第６画像領域Ａ６では、１フレーム期間において画素がオンされる期間はピンク（Ｐ）フィールドのみであり、それ以外のフィールドでは画素はオンされない。
【００６３】
このような事情は、画面が切り替わって他の画像が表示されても同じである。１画面内に含まれる画像領域にはそれぞれ１色の色光のみが割り当てられ、それぞれの画像領域は１色又はそのグレースケールのみで表示が行われるからである。したがって、任意の１フレーム期間において、電気光学パネル１の各々の画素について画素がオンされる期間は１フィールドのみであり（厳密には黒表示も可能であるため、画素がオンされる期間は１フィールド以下である）、２フィールド以上画素がオンされることはない。この構成によれば、任意の１画素について、１フレーム期間内で２以上のフィールド期間がオンにならないので、加法混色は行われず、色割れの問題は原理的に発生しない。この場合、表示できる色は赤、緑、青、オレンジ、スカイブルー、ピンク、黒の７色、及びそのグレースケールであり、フルカラー表示はできないが、電光掲示板のようなフルカラー表示が必要ない情報表示装置では、７色表示のみでも十分に機能を果たすことができる。
【００６４】
本実施形態の電気光学装置においても、光源装置５０から射出される複数の色光のうちのいずれか１色を画素に割り当てる。そのため、時間的な加法混色が起こらず、原理的に色割れの問題は発生しない。また、オンになるフィールド期間の前のフィールド期間は基本的にオフであるため、低温で輝度が変化することはあっても色の変化が起こりにくい。そのため、色再現性が良く、鮮明な画像が表示できる。
【００６５】
なお、本実施形態では、３つの色光源を用いて６種類の色光を作成したが、色光の種類は上述したものに限定されない。色光源の組み合わせ及び強度比の組み合わせは自由であり、それに応じて任意の色光を作成することが可能である。色光の数を増やすことによって、多数の情報を色分けして表示することが可能である。
【００６６】
［第４の実施の形態］
図８は、電気光学装置の駆動方法の第４実施形態の説明図である。本実施形態において電気光学装置の構成は第１実施形態の電気光学装置１００と同じである。そのため、第１実施形態と共通する構成要素については同じ符号を付し、詳細な説明は省略する。
【００６７】
本実施形態の電気光学装置は、駅の電光掲示板（ＬＤ表示機）で見られるようなマルチカラータイプの情報表示装置を想定している。この電気光学装置では赤、緑、オレンジの３色の色表示が行われる。使用する色光源は赤色光源と緑色光源のみであり、それらの色光源を組み合わせてオレンジ色を表示する。赤色光源としては、例えば日亜化学工業社製の表面実装チップタイプＬＥＤ（商品名：ＮＥＳＲ０６４）を用いることができ、緑色光源としては、例えば日亜化学工業社製の表面実装チップタイプＬＥＤ（商品名：ＮＥＳＧ０６４）を用いることができる。光源装置としては、屋外用に高輝度を出すために、これらを交互に敷き詰めて２次元配列させた面状光源を使用しても良い。
【００６８】
本実施形態の駆動方法では、電気光学装置で表示する情報を赤（Ｒ）、緑（Ｇ）、オレンジ（Ｏ）の３色で色分けする。１画面内で赤、緑、オレンジで色分けされた情報は、画面上の異なる画像領域に領域的に重ならないように配置される。制御装置６０は、光源装置に備えられた複数種類の色光源（赤色光源、緑色光源）のうちの１種類又は２種類以上の色光源を組み合わせて１つの色光を形成し、前記複数種類の色光源又はそれらの色光源の組み合わせによって形成される色光によって、表示に必要とされる数の色光を形成する。図８では、赤色光源と緑色光源とを組み合わせてオレンジを形成している。オレンジは赤色光源と緑色光源の点灯強度を約２：１とすることにより形成される。
【００６９】
制御装置６０は、１フレーム期間（６０Ｈｚ〜７０Ｈｚ）を光源装置から射出される色光の数に応じた複数のフィールド期間に分割し、それぞれのフィールド期間内で、光源装置から射出される各色光の色信号に基づいて電気光学パネル１を駆動する。例えば、１フレーム期間が１／６０秒であれば、赤色の書き込みを１／１８０秒（１／３フレーム期間）で行い、続いて緑色の書き込みを次の１／１８０秒（１／３フレーム期間）で行い、続いてオレンジの書き込みを次の１／１８０秒（１／３フレーム期間）で行う。そして、赤色の書き込みに同期して赤色光源だけを発光させ、緑色の書き込みに同期して緑色光源だけを発光させ、オレンジの書き込みに同期して赤色光源と緑色光源とを発光させる。これにより、赤色光に対応した赤色画像、緑色光に対応した緑色画像、オレンジ光に対応したオレンジ画像が１フィールド期間毎に順次表示され、それらが人間の眼の合成作用によって１画面分のカラー画像に合成される。
【００７０】
制御装置６０は、１つの色光が射出される１フィールド期間（１／３フレーム期間）において、色光を透過可能とする書き込み期間Ｔｗ、書き込まれた画像を保持する保持期間Ｔｈを所定の割合で有するように電気光学パネル１の駆動を制御する。
【００７１】
また制御装置６０は、１フィールド期間において、液晶の配向が安定する保持期間Ｔｈのみに色光を発光させる。すなわち、電気光学パネル１において走査線Ｙ１から走査線Ｙｍまで走査し、画像形成に関わる全ての画素の配向が安定してから、色光を発光させる。そうすることで、画面の上下で明るさのムラが発生することを防止することができる。
【００７２】
本実施形態においては、１フレーム期間内に表示される１画面分の画像には複数の画像領域が含まれ、それぞれの画像領域は光源装置から射出される複数の色光によって色分けされている。各々の画像領域には１種類の色光のみが割り当てられ、その色光のグレースケール（黒を含む）による色表示が行われる。したがって、例えばオレンジ色が表示される画像領域では、１フレーム期間において画素がオンされる期間はオレンジ（Ｏ）フィールドのみであり、それ以外のフィールドでは画素はオンされない。同様に、赤色が表示される画像領域では、１フレーム期間において画素がオンされる期間は赤色（Ｒ）フィールドのみであり、それ以外のフィールドでは画素はオンされない。緑色が表示される画像領域では、１フレーム期間において画素がオンされる期間は緑色（Ｇ）フィールドのみであり、それ以外のフィールドでは画素はオンされない。
【００７３】
このような事情は、画面が切り替わって他の画像が表示されても同じである。１画面内に含まれる画像領域にはそれぞれ１色の色光のみが割り当てられ、それぞれの画像領域は１色又はそのグレースケールのみで表示が行われるからである。したがって、任意の１フレーム期間において、電気光学パネル１の各々の画素について画素がオンされる期間は１フィールドのみであり（厳密には黒表示も可能であるため、画素がオンされる期間は１フィールド以下である）、２フィールド以上画素がオンされることはない。この構成によれば、任意の１画素について、１フレーム期間内で２以上のフィールド期間がオンにならないので、加法混色は行われず、色割れの問題は原理的に発生しない。この場合、表示できる色は赤、緑、オレンジ、黒の４色、及びそのグレースケールであり、フルカラー表示はできないが、電光掲示板のようなフルカラー表示が必要ない情報表示装置では、４色表示のみでも十分に機能を果たすことができる。
【００７４】
以下、本実施形態の駆動方法による効果を従来の駆動方法との比較において説明する。図９は、従来の駆動方法でオレンジを表示する場合（比較例）の説明図である。図８に示したように、本実施形態の駆動方法では、オレンジ（Ｏ）フィールドにおいて赤色光源を全点灯、緑色光源を半点灯としてオレンジ色を表示した。これに対して比較例の駆動方法では、図９に示すように、赤色（Ｒ）フィールド、緑色（Ｇ）フィールドのいずれも色光源は全点灯であり、代わりに液晶を赤色フィールドでフルオープン、緑色フィールドでハーフオープンにすることでオレンジを表示する。したがって、液晶が光を遮る分だけ比較例の方がエネルギーのロスが大きい。その一方、比較例はフィールド数が少ない分だけ色光源の点灯時間が長く取れるため、明るい表示を得る上で有利である。ただし、このような場合でも、光源装置として、複数種類の色光源を２次元配列させた面状光源を用いれば、エネルギーのロスがあったとしても明るさが損なわれることはない。
【００７５】
本実施形態と比較例との一番の違いは、比較例では異なるフィールドを使ってオレンジを表示するため、視線が移動するとオレンジの表示が緑と赤に分かれる色割れ現象が顕著に起こることである。このような色割れ現象は屋外の情報表示装置では特に大きい。観察者は、通常、情報表示装置に表示される情報を見た後、すぐに視線を周囲に移すからである。本実施形態の電気光学装置の場合、１画素内で複数の色を時分割で合成（加法混色）しないため、視線が素早く移動しても色割れは発生せず、観察者に不快感を与えない。
【００７６】
［電子機器の第１の実施の形態］
図１０は、電気光学装置１００を備えた電子機器の第１実施形態である情報表示装置１６００の概略構成図である。情報表示装置１６００は、例えば駅の天井や壁、或いは他の多くの公共施設内に配置されて種々の案内表示を行う情報表示装置である。
【００７７】
情報表示装置１６００には、案内情報を表示する表示手段として、上述した電気光学装置１００が備えられている。電気光学装置１００は、前述した本発明の構成を備えているので、公衆が案内情報から視線を移したときに色割れ現象が発生せず、明るく鮮明な表示が実現できる。
【００７８】
［電子機器の第２の実施の形態］
図１１は、電子機器の第２実施形態であるヘッドアップディスプレイ１７００の概略構成図である。図１２は、ヘッドアップディスプレイ１７００の画像を車両運転席から見た図である。
【００７９】
図１１において車両７０はセダンタイプの乗用自動車である。ヘッドアップディスプレイ１７００は、電気光学装置１００と、電気光学装置１００から射出された光Ｌ（画像光）をフロントウィンドウ７２上に投射する凹面鏡（反射光学系）７１と、フロントウィンドウ７２上に投射された光を運転席に向けて反射するフロントウィンドウシールド７４と、を備えている。
【００８０】
電気光学装置１００はダッシュボード７３の内部に収納されている。ダッシュボード７３には、フロントウィンドウ７２の下部に、光Ｌを透過するための開口部７３Ｈが設けられており、該開口部７３Ｈを介して、凹面鏡７１で反射された光Ｌがフロントウィンドウシールド７４上に投影されるようになっている。投影された画像は虚像Ｉとして車両の乗員Ｍに視認される。
【００８１】
フロントウィンドウシールド７４は、例えばハーフミラー等のシート状の膜として構成されるが、フロントウィンドウ７２の表面を処理することにより光Ｌの一部を反射させるようにしても良い。図１２に示すように、フロントウィンドウシールド７４は運転席の正面に配置されている。フロントウィンドウシールド７４上には、速度メータやガソリン残量、警告等の情報が表示される。乗員Ｍは運転中に視線を大きく動かさずにこれらの情報を視認することができる。
【００８２】
ここで、電気光学装置１００は、前述した本発明の構成を備えている。したがって、乗員Ｍが運転中にフロントウィンドウシールド７４から周囲に視線を移動させたときに色割れ現象が発生せず、乗員Ｍに無用なストレスを与えることがない。運転中はフロントウィンドウシールド７４から周囲の環境に素早く視線を移動させることが必要であるが、このような場合でも情報が鮮明に表示されるため、快適な運転環境を提供することができる。また、電気光学装置１００は狭いダッシュボード７３に設置されるため、小型高精細で発熱の少ない表示装置が望ましいが、本実施形態の電気光学装置１００はフィールドシーケンシャル方式を用いて高精細且つ高光利用効率を実現しているため、ヘッドアップディスプレイとしては最適な構成である。
【図面の簡単な説明】
【００８３】
【図１】第１実施形態の電気光学装置の概略構成図である。
【図２】同電気光学装置で表示される画像の一例を示す図である。
【図３】同電気光学装置の駆動方法の説明図である。
【図４】従来の電気光学装置の駆動方法の説明図である。
【図５】従来の駆動方法における温度特性の説明図である。
【図６】電気光学装置の駆動方法の第２実施形態の説明図である。
【図７】電気光学装置の駆動方法の第３実施形態の説明図である。
【図８】電気光学装置の駆動方法の第４実施形態の説明図である。
【図９】従来の駆動方法でオレンジを表示する場合）の説明図である。
【図１０】電子機器の第１実施形態である情報表示装置の概略構成図である。
【図１１】電子機器の第２実施形態であるヘッドアップディスプレイの概略構成図である。
【図１２】ヘッドアップディスプレイの画像を車両運転席から見た図である。
【符号の説明】
【００８４】
１…電気光学パネル、５０…光源装置、５１…赤色光源、５２…緑色光源、５３…青色光源、１００…電気光学装置、１６００…情報表示装置（電子機器）、１７００…ヘッドアップディスプレイ（電子機器）、Ａ１〜Ａ７…画像領域、ＰＸ…画素、Ｙ，Ｙ１，Ｙ２，Ｙ３，Ｙｍ…走査線
【図１】
2009047884.tif 000003
【図２】
2009047884.tif 000004
【図３】
2009047884.tif 000005
【図４】
2009047884.tif 000006
【図５】
2009047884.tif 000007
【図６】
2009047884.tif 000008
【図７】
2009047884.tif 000009
【図８】
2009047884.tif 000010
【図９】
2009047884.tif 000011
【図１０】
2009047884.tif 000012
【図１１】
2009047884.tif 000013
【図１２】
2009047884.tif 000014